(57)【要約】      （修正有）【課題】廃棄ワクチンビンを有効利用した、キーホルダーを提供する。【解決手段】キーホルダー、お守りホルダー、携帯ストラップのホルダーのように身に付けて保持するホルダーに関し、ワクチン等の空きびん１を工夫するだけでそのまま利用し、既存の弾性のゴム蓋２に取り付け用の雄ねじ５（ヒートンとも呼ばれている）をねじ込んで接着して固定し、この雄ねじを利用してキー８などの小物や貴重品を取り付けてなるホルダーである。【選択図】図１
0003235311.tif 000002
【実用新案登録請求の範囲】
【請求項１】
ワクチンの空きびんをそのまま利用し、既存の弾性の蓋に取り付け用の雄ねじをねじ込んで固定し、この雄ねじを利用してキーなどの小物を取り付けてなることを特徴とするホルダー。
【請求項２】
空きびんを堅牢な材質とし、かつ中に貴重品や思い出の品、記念品、珍奇な品などを収納したことを特徴とするホルダー。
【考案の詳細な説明】
【技術分野】
【０００１】
本考案は、キーホルダー、お守りホルダー、携帯ストラップのホルダーのように身に付けて保持するホルダーに関する。
【先行技術文献】
【特許文献】
【０００２】
【特許文献１】実用新案登録弟3051474 号
【考案の概要】
【０００３】
先行技術として、香水や化粧水等の気散性液体を収容するびんをキーホルダーやバッグ、ポーチなどに取り付けて自在に携行するに適した液体容器を提供することを目的とし、開口部８にノズル機構４を具備する栓体を装着した瓶型容器１における栓体装着部および前記ノズル機構４取付部分に弾性筒状体６を添着して硬質キャップ７を装脱可能に設けた構成とする。
【考案が解決しようとする課題】
【０００４】
このように、開口部８にノズル機構４を具備する栓体を装着した瓶型容器１における栓体装着部および前記ノズル機構４取付部分に弾性筒状体６を添着して硬質キャップ７を装脱可能に設けた構成は、各部品を製造してから組み立てるので高価となり、しかも瓶型容器１の外周に紐類の手段を捲いて縛るので、スマートさに欠け商品価値が低下する。これに対し、ワクチンの使用後には大量の空きひんが発生するので、無駄に廃棄するのは勿体無く、有効に利用できる使い道が無いか模索している内、キーホルダーなどとして利用できることに気づいた。幸いにワクチンの入ったびんの入口にはゴム製の蓋が挿入されているので、このゴム蓋を有効利用すれば、キー等の取り付けが容易になる。なお、キーに限らずお守りや携帯ストラップのホルダー等の小物類や身の周り品であれば、キーのホルダーに限らない。
【０００５】
本考案のようにゴム蓋を挿入してあると、雄ねじをねじ込むだけでスマートに取り付けられ美的でもある。また、強度の弱い通常のびんには輪ゴムを巻いて緩衝し、割れる危険を回避してもよい。しかし、ワクチンの入ったびんは一般に頑丈で、２ｍほどの高きからコンクリートの床に落したり投げつけても割れ難い。従って、ワクチンの空きびんは、貴重品を収納し保存する容器としても適する。なお、空きびんの外面に紙を貼ったり、輪ゴムで紙片を押さえておけば、メモ手段や暗記帳としても兼用できる。
本考案の技術的課題は、このような問題に着目し、廃棄ワクチンびんを使用し工夫するだけでそのままの形態を生かしたキー等のホルダーとして有効利用出来る。
【課題を解決するための手段】
【０００６】
本考案の技術的課題は次のような手段によって解決される。請求項１は、ワクチンの空きびんをそのまま利用し、既存の弾性の蓋に取り付け用の雄ねじ（ヒートンとも呼ばれている）をねじ込んで固定し、この雄ねじを利用してキーなどの小物や貴重品を取り付けてなることを特徴とするホルダーである。ゴム蓋への固定力が不足する場合は接着も併用するとよい。
【０００７】
請求項２は、ワクチンの空きびんを堅牢な材質とし、かつ中に貴重品や思い出の品、記念品、珍奇な品などを収納したことを特徴とするホルダーである。
【考案の効果】
【０００８】
請求項１のように、ワクチン等の空きびんを工夫するだけでそのまま利用し、既存の弾性の蓋に取り付け用の雄ねじをねじ込んで固定し、この雄ねじを利用してキーなどの小物や貴重品を取り付けてあるので、ワクチン等の空きびんを捨てずに生かして、小物類の取り付け手段としての付加価値を高めることができる。しかも、廃棄される空きびんを有効利用するので、資源を生かすことになる。
【０００９】
請求項２のように、ワクチンの空きびんを堅牢な材質とし、かつ中に貴重品や思い出の品、記念品、珍奇な品などを収納したので、堅牢なびんが破損することは無く、貴重品や思い出の品、記念品、珍奇な品などを収納し保存するのに最適である。
【図面の簡単な説明】
【００１０】
【図１】本考案によるキー等のホルダーの完成状態を示す斜視図である。
【図２】本考案によるキー等のホルダーの各部品を示す斜視図である。
【考案を実施するための形態】
【００１１】
次に本考案によるキー等のホルダーが実際上どのように具体化されるか実施形態を説明する。図１は本考案によるキーホルダーを示す斜視図である。本考案のキーホルダーは、図１のように、ガラスや樹脂製の空きびん１の出し入れ口にゴム蓋２を圧入して閉じ、その外周は金属環３を加締めて固定してある。前記の弾性蓋２はゴム製や軟質の合成樹脂製のため、注射針を差し込んで中のワクチンを吸引して注射する。中のワクチンを使い切ってびん１が空になると、捨てないでキーホルダー等として再利用する。
【００１２】
弾性蓋２にねじリング４の雄ねじ部５をねじ込み、ねじリング４のリング部４にチェーン６を連結し、該チェーン６の上端に開閉式の着脱リング７を連結してある。なお、雄ねじ部５の外面に接着剤を塗布してあると、雄ねじ部５の固定が確実となる。
【００１３】
図２は本考案によるホルダーの各部品の斜視図であり、空きびん１、ねじリング４、チェーン６付きの開閉着脱リング７を示してある。この開閉着脱リング７にキー８を取り付け又はリング９を介して連結してもよいし、前記チェーン６にキー８のリング９を連結してもよい。なお、このキー８に代えてお守りや携帯ストラップ、財布等を開閉着脱リング７に取り付けてもよい。
【００１４】
前記の空きびんとして、ワクチンを使い終わった空きびん１を使用するが、割れ難い堅牢な材質であるから、貴重品や思い出の品、記念品、珍奇な品などを収納し大事に保存するのに最適である。このように割れ難い材質とするので、ガラス製の空きびん１が衝撃を受けても割れる危険は少なく、安全である。この空きびん１中に、色付きの液体を入れておくと、びん１を強調できる。ゴム蓋２で開口を塞いであるので、注射針を差し込んで中の液体を廃棄し、色の異なる液体を入れることもできる。
【産業上の利用可能性】
【００１５】
以上のように、ワクチン等の空きびんを工夫するだけでそのまま利用し、既存のゴム製や軟質合成樹脂製の蓋に取り付け用の雄ねじをねじ込んで固定し、この雄ねじにキーなどの小物を連結するので、ワクチン等の空きびんを捨てずに生かして、貴重品や小物類の保持手段としての付加価値を高めることができ、廃棄される空きびんを有効利用できる。また、空きびんを堅牢な材質とし、かつ中に貴重品や思い出の品、記念品、珍奇な品などを収納したので、堅牢なびんが破損することは少なく、貴重品や思い出の品、記念品、珍奇な品などを収納して大事に保存するのに最適である。
【符号の説明】
【００１６】
１  ガラスや合成樹脂製の空きびん
２  ゴムや軟質合成樹脂製の蓋
３  金属環
４  ねじリング
５  雄ねじ部
６  チェーン
７  開閉式の着脱リング
８  キー
９  リング
【図１】
0003235311.tif 000003
【図２】
0003235311.tif 000004
【手続補正書】
【提出日】令和3年10月5日(2021.10.5)
【手続補正１】
【補正対象書類名】図面
【補正対象項目名】全図
【補正方法】変更
【補正の内容】
【図１】
0003235311.tif 000005
【図２】
0003235311.tif 000006